(57)【特許請求の範囲】
【請求項１】
シャーシと、
記録媒体を支持すると共に、前記シャーシに収納される収納位置と、前記シャーシから排出される排出位置との間で移動する可動ユニットと、
前記可動ユニットを前記収納位置にロックするロック手段と、
前記シャーシの奥側に配設されたプリント基板と、
前記可動ユニットに対して移動可能に配設されており、手動操作されることにより移動してイジェクト操作状態となる操作部材と、
前記シャーシの奥側に配設された前記プリント基板に設けられており、前記操作部材が前記イジェクト操作状態となったか否かを検出する検出手段と、
該検出手段が前記操作部材が前記イジェクト操作状態となったことを検出した際、前記ロック手段による前記可動ユニットのロックを解除させるロック解除手段とを備えており、
前記操作部材は、前記可動ユニットの前面に位置して手動操作される操作部と、前記検出手段に近接して配置されると共に該検出手段に検出される被検出部分とを有することを特徴とする記録媒体装着装置。
【請求項２】
請求項１記載の記録媒体装着装置において、
前記検出手段を単一の検出スイッチで構成し、
該単一の検出スイッチが、少なくとも前記操作部材の手動操作されていない状態と前記イジェクト操作状態との二つの状態を検出しうる構成としたことを特徴とする記録媒体装着装置。
【請求項３】
請求項１記載の記録媒体装着装置において、
前記検出手段を、
前記操作部材に形成された被検出部と、
前記被検出部を検出することにより検出信号を生成する単一の検出スイッチと、
前記検出信号の出力変化に基づき、前記操作部材の位置を検出する位置検出装置とにより構成したことを特徴とする記録媒体装着装置。
【請求項４】
請求項１乃至３のいずれか１項に記載の記録媒体装着装置において、
前記操作部材を前記手動操作されていない位置及び前記イジェクト操作状態にある位置とは異なる第３の位置に更に移動可能な構成とし、
かつ、前記操作部材が前記第３の位置へ移動することにより前記ロック手段を直接駆動し、前記ロック手段による前記可動ユニットのロックを解除する構成としたことを特徴とする記録媒体装着装置。
【発明の詳細な説明】
【０００１】
【発明の属する技術分野】
本発明は記録媒体装着装置に係り、特にディスク装置等に搭載されて記録媒体（ディスク）を収納位置と排出位置との間で搬送する記録媒体装着装置に関する。
【０００２】
【従来の技術】
例えばデータベースやソフトウエアなどの情報を記憶させる記憶媒体として、レーザ式ピックアップにより再生されるコンパクトディスク（直径１２cm又は８cm）が使用されつつある。そのため、小型化されたノート型パソコン等にも組み込めるように、装置内に内蔵されるディスク装置（内蔵形ＣＤ−ＲＯＭドライブ装置）の開発が行われている。
また、ディスク装置には、ディスクを再生処理が行われる収納位置と、ディスクをディスク装置に対して装着脱する排出位置との間で移動させる記録媒体装着装置が搭載されている。
【０００３】
一般的のディスク装置に搭載される記録媒体装着装置は、ディスクが載置されるトレイをモータで駆動しており、トレイがシャーシ外に移動するとディスクをトレイ内のターンテーブル上に載置し、再びモータの駆動力によりトレイをシャーシに戻すようになっている。
【０００４】
しかるに、上記のようにトレイをモータで駆動する方式では、トレイを駆動するためのモータ及び駆動力をトレイに伝達する伝達機構が必要であり、その分ディスク装置を小型化、薄型化することが難しく、ノート型パソコンの筐体に組み込むことができなかった。
【０００５】
また、上記した記録媒体装着装置は、ディスク全体がトレイ内に設けられた有底環状の凹部であるディスク載置部に載置される構成とされていた。このため、トレイの横幅寸法は、ディスクの直径よりも大きくなるように設定されていた。その結果、従来のディスク装置では、トレイの横幅寸法が大きくなってしまい、装置全体が大きくなって小型化を図ることが難しかった。
【０００６】
このため、上記のようなモータ及び伝達機構を不要にし、トレイを手動操作によりシャーシ内のディスク収納位置又はシャーシ外の排出位置に移動させる構成の記録媒体装着装置を搭載したディスク装置が開発されている。
【０００７】
図１８は、この種のディスク装置１００を示している。このディスク装置１００に搭載された記録媒体装着装置は、ディスク（図示せず）が載置されると共に一片側をディスクの一部がはみ出すように切り欠いた形状とされたトレイ１０２と、このトレイ１０２を移動可能に保持するシャーシ１１０とを具備した構成とされている。
【０００８】
具体的には、トレイ１０２はガイドレール機構１０４によりシャーシ１１０に対し、ディスクを排出位置（ディスクをトレイ１０２に対し装着脱する位置）と、収納位置（トレイ１０２をシャーシ１１０内の収納部１０３に収納する位置）との間で移動可能な構成されている。
【０００９】
また、シャーシ１１０には、トレイ１０２が収納位置にあるとき、トレイからディスクがはみ出した部分を収納するカバー部１１０ａが設けられている。この構成とすることにより、トレイ１０２の横幅寸法を小さくすることができ、ディスク装置の小型化を図ることが可能となる。
【００１０】
また、光学式ピックアップ１０５及びターンテーブル１０６は、トレイ１０２に配設されている。よって、シャーシ１１０に配設されたプリント基板１２２（再生処理のための各種電子部品が搭載されている）と、光学式ピックアップ１０５及びターンテーブル１０６は、ＦＰＣ（フレキシブルプリント基板）１０９により電気的に接続されている。
【００１１】
ところで、ディスクが収納位置に収納され再生処理を行なう際、ディスクが容易に変異すると良好な再生処理を行なうことができない。このため、記録媒体装着装置には、トレイ１０２が収納位置に位置したときトレイ１０２の移動をロックするロック機構が設けられている。
【００１２】
このロック機構は、ロックアーム１０７，ソレノイド１０８，イジェクトスイッチ１１７，及びロックピン１１９等により構成されている。ロックアーム１０７はシャーシ１１０に回動可能に取り付けられており、ロック爪１０７ａ，接続部１０７ｂが形成されている。ロック爪１０７ａはトレイ１０２に設けられているロックピン１１９と係合し、また接続部１０７ｂはソレノイド１０８と接続した構成とされている。
【００１３】
ロックアーム１０７に形成されたロック爪１０７ａは、トレイ１０２が図中矢印Ｘ２方向に移動し収納位置に達したときにロックピン１１９と係合しトレイ１０２の移動をロックする構成とされている。このロック状態において、トレイ１０２はプリント基板１２２に配設された位置センサ１２５と係合するよう構成されており、これによりトレイ１０２が収納位置に達したことを検知できる。また、トレイ１０２が収納位置にある時、シャーシ１１０に設けられたコイルバネ１２６はトレイ１０２に押圧されて伸長された状態となっている。
【００１４】
一方、トレイ１０２を収納位置から排出位置に移動させるには、トレイ１０２に配設されているスイッチ釦１１２を操作する。このスイッチ釦１１２はトレイ１０２の前面ベゼル１１１に形成された釦ホール１１３に配設されており、またトレイ１０２内においてスイッチ釦１１２と対抗する位置にはイジェクトスイッチ１１７が設けられている。
イジェクトスイッチ１１７は、トレイ１０２に設けられたＦＰＣ１１８に固定されており、スイッチ釦１１２が押圧操作されることによりＯＮとなるスイッチである。このイジェクトスイッチ１１７は、ＦＰＣ１１８及びシャーシ１１０とトレイ１０２を電気的に接続するＦＰＣ１０９を介してプリント基板１２２に電気的に接続されている。
【００１５】
ソレノイド１０８は、前記のように接続部１０７ｂを介してロックアーム１０７に機械的に接続されており、かつ、プリント基板１２２とはＦＰＣ１０９を介して電気的に接続されている。また、ソレノイド１０８はスイッチ釦１１２がＯＮとなると、プリント基板１２２に実装されたコントローラ（図示せず）がソレノイド駆動トランジスタ（図示せず）をＯＮすることにより、ロックアーム１０７を図中時計方向に回動するよう駆動する構成とされている。
従って、スイッチ釦１１２が押圧操作されることにより、ロックアーム１０７は回動してロック爪１０７ａとロックピン１１９の係合は解除される。これにより、ロックアーム１０７によるトレイ１０２のロックは解除され、トレイ１０２は図中矢印Ｘ１方向に移動可能となる。
【００１６】
また、前記のようにトレイ１０２は収納位置にあるときにコイルバネ１２６を伸長しているため、トレイ１０２のロックが解除されることにより、コイルバネ１２６の弾性復元力により、トレイ１０２は図中矢印Ｘ１方向に押し出される。従って、トレイ１０２の一部はシャーシ１１０から飛び出した状態となり、操作者はこのトレイ１０２のシャーシ１１０から飛び出した部分を把持して、トレイ１０２を排出位置まで引き出し、これによりトレイ１０２は排出位置に至る。
【００１７】
また、スイッチ釦１１２の側部位置には、ＬＥＤ（発光ダイオード）１１４が配設されている。このＬＥＤ１１４は、ディスク装置１００が動作しているときに点灯し、操作者にディスク装置１００が動作していることを知らせるものである。
このため、前面ベゼル１１１にはＬＥＤホール１１５が形成されており、ＬＥＤ１１４はその内部に配設されている。また、ＬＥＤ１１４はＦＰＣ１１８に配設されており、ＦＰＣ１１８，１０９を介してプリント基板１２２に接続されている。
【００１８】
上記のように、従来の記録媒体装着装置では、スイッチ釦１１２を操作することによりイジェクトスイッチ１１７がＯＮとなり、これによりソレノイド１０８が駆動してトレイ１０２のロックが解除される構成とされている。即ち、従来の記録媒体装着装置では、電気的な手段によりトレイ１０２のロック解除を行なう構成とされている。
【００１９】
しかしながら、電気的な手段のみによりトレイ１０２のロック解除を行なう構成では、例えばＦＰＣ１０９，１１８が不良となりソレノイド１０８の駆動ができなくなった場合には、トレイ１０２のロックを解除することが不可能となり、ディスクをディスク装置１００から取り出すことができなくなってしまう（以下、この状態をエマージェンシー状態という）。
このため、従来の記録媒体装着装置では、エマージェンシー状態となってもロックアーム１０７によるトレイ１０２のロックを解除する、エマージェンシー用ロック解除機構が設けられている。
【００２０】
エマージェンシー用ロック解除機構は、エマージェンシー用棒１２０およびエマージェンシー用レバー１２３により構成されている。エマージェンシー用棒１２０は棒状の部材であり、トレイ１０２に図中矢印Ｘ１，Ｘ２方向に移動可能に配設されている。このエマージェンシー用棒１２０の図中矢印Ｘ１方向の端部は、前面ベゼル１１１に形成されたイジェクト用ホール１２１と対向するよう構成されている。
【００２１】
また、エマージェンシー用レバー１２３は略く字状の部材であり、シャーシ１１０に植設された支軸１２４に回動自在に軸承されている。このエマージェンシー用レバー１２３の一方の端部１２３ａは、トレイ１０２が収納位置にロックされた状態において、エマージェンシー用棒１２０の図中矢印Ｘ２方向端部と対峙するよう構成されている。また、エマージェンシー用レバー１２３の他方の端部１２３ｂは、ロックアーム１０７の接続部１０７ｂに対峙する位置に配設されている。
【００２２】
上記構成とされたエマージェンシー用ロック解除機構は、記録媒体装着装置がエマージェンシー状態となった時、ロックアーム１０７によるトレイ１０２のロックを解除する機能を奏する。即ち、記録媒体装着装置がエマージェンシー状態となった時、操作者はイジェクト用ホール１２１から細い棒状体を挿入し、エマージェンシー用棒１２０を図中矢印Ｘ２方向に移動させる。
【００２３】
前記のようにエマージェンシー用棒１２０の図中矢印Ｘ２方向の端部はエマージェンシー用レバー１２３の端部１２３ａと対峙した構成とされている。このため、エマージェンシー用棒１２０が図中矢印Ｘ２方向に移動することにより、エマージェンシー用レバー１２３は支軸１２４を中心として図中反時計方向に回動する。
【００２４】
このようにエマージェンシー用レバー１２３が回動することにより、端部１２３ｂはロックアーム１０７の接続部１０７ｂを押圧する。従って、ロックアーム１０７は操作者の手動操作により図中時計方向に回動し、ロックピン１１９とロック爪１０７ａの係合は解除される。これにより、ロックアーム１０７によるトレイ１０２のロックを手動により解除することができる。
【００２５】
【発明が解決しようとする課題】
しかしながら上記した従来の記録媒体装着装置では、前面ベゼル１１１にイジェクトスイッチ１１７が配設されていたため、静電気耐性が低いという問題点があった。 即ち、前面ベゼル１１１にイジェクトスイッチ１１７が配設されていると、例えばスイッチ釦１２２を操作する際に操作者とイジェクトスイッチ１１７との間で静電気の放電が発生し、ＦＰＣ１１８，１０９を介してイジェクトスイッチ１１７及びイジェクトスイッチ１１７に接続された他の電子部品（プリント基板１２２上に実装された電子部品等）が静電破壊されるおそれがある。
【００２６】
また、上記したように記録媒体装着装置は、エマージェンシー状態に備えてエマージェンシー用棒１２０及びエマージェンシー用レバー１２３等のエマージェンシー用ロック解除機構を設けた構成とされているが、従来の構成ではその構成が複雑化で、部品点数の増大、装置の大型化、及び製品コストの増大が生じるという問題点があった。
【００２７】
本発明は上記の点に鑑みてなされたものであり、静電気による部品破壊の防止を図ると共に、装置構成の簡単化及び小型化を図った記録媒体装着装置を提供することを目的とする。
【００２８】
【課題を解決するための手段】
上記の課題を解決するために本発明では、次に述べる各手段を講じたことを特徴とするものである。
【００２９】
請求項１記載の発明は、
シャーシと、
記録媒体を支持すると共に、前記シャーシに収納される収納位置と、前記シャーシから排出される排出位置との間で移動する可動ユニットと、
前記可動ユニットを前記収納位置にロックするロック手段と、
前記シャーシの奥側に配設されたプリント基板と、
前記可動ユニットに対して移動可能に配設されており、手動操作されることにより移動してイジェクト操作状態となる操作部材と、
前記シャーシの奥側に配設された前記プリント基板に設けられており、前記操作部材が前記イジェクト操作状態となったか否かを検出する検出手段と、
該検出手段が前記操作部材が前記イジェクト操作状態となったことを検出した際、前記ロック手段による前記可動ユニットのロックを解除させるロック解除手段とを備えており、
前記操作部材は、前記可動ユニットの前面に位置して手動操作される操作部と、前記検出手段に近接して配置されると共に該検出手段に検出される被検出部分とを有することを特徴とするものである。
【００３０】
上記発明によれば、ロック手段による可動ユニットのロック解除は、手動操作される操作部材の移動を検出手段が検出し、その検出結果に基づきロック解除手段により実施される。従って、可動ユニットに電気的なスイッチを配設する必要がなくなり、静電気耐性を向上させることができる。
【００３１】
また、操作部材の移動を検出する検出手段はシャーシに設けられているため、ロック解除操作時において操作者と検出手段との間は離間している。よって、操作者と検出手段との間で静電気が発生するようなことはなく、記録媒体装着装置に設けられている電子部品が破壊されることを防止することができる。
【００３２】
また、請求項２記載の発明は、
請求項１記載の記録媒体装着装置において、
前記検出手段を単一の検出スイッチで構成し、
該単一の検出スイッチが、少なくとも前記操作部材の手動操作されていない状態と前記イジェクト操作状態との二つの状態を検出しうる構成としたことを特徴とするものである。
【００３３】
上記発明によれば、単一の（１個の）検出スイッチで、操作部材の手動操作されていない状態とイジェクト操作状態との二つの状態を少なくとも検出することができるため、各状態をそれぞれ別個の検出スイッチで検出する構成に比べ、部品点数の削減及び低コスト化を図ることができる。
【００３４】
また、請求項３記載の発明は、
請求項１記載の記録媒体装着装置において、
前記検出手段を、
前記操作部材に形成された被検出部と、
前記被検出部を検出することにより検出信号を生成する単一の検出スイッチと、
前記検出信号の出力変化に基づき、前記操作部材の位置を検出する位置検出装置とにより構成したことを特徴とするものである。
【００３５】
上記発明によれば、操作部材に形成された被検出部を単一の検出スイッチにより検出するため、複数の検出スイッチで検出する構成に比べて部品点数の削減及び低コスト化を図ることができる。
【００３６】
また、位置検出装置は、検出スイッチから出力される検出信号の出力変化に基づき操作部材の位置を検出する構成であるため、検出スイッチとしては被検出部の有無によりＯＮ／ＯＦＦするような簡単な構成のスイッチを用いることができ、これによっても低コスト化を図ることができる。
【００３７】
また、請求項４記載の発明は、
請求項１乃至３のいずれか１項に記載の記録媒体装着装置において、
前記操作部材を前記手動操作されていない位置及び前記イジェクト操作状態にある位置とは異なる第３の位置に更に移動可能な構成とし、
かつ、前記操作部材が前記第３の位置へ移動することにより前記ロック手段を直接駆動し、前記ロック手段による前記可動ユニットのロックを解除する構成としたことを特徴とするものである。
【００３８】
上記発明によれば、正常時におけるロック手段による可動ユニットのロック解除（即ち、イジェクト動作時）と、異常時におけるロック手段による可動ユニットのロック解除（即ち、エマージェンシー時の動作）を、一つの操作部材により行なうことが可能となる。このため、イジェクト用の操作部材と、エマージェンシー時用の操作部材を別個に設ける必要がなくなり、記録媒体装着装置の部品点数の削減を図ることができる。
【００３９】
【発明の実施の形態】
次に、本発明の実施の形態について図面と共に説明する。
【００４０】
図１及び図２は、本発明の第１実施例である記録媒体装着装置を搭載したディスク装置１Ａを示している。このディスク装置１Ａは、例えばノート型パソコン（図示せず）の筐体に内蔵される内蔵形の装置である。
図１はトレイ２をシャーシ１０から引き出した状態（以下、この状態を排出状態といい、この時のトレイ２の位置を排出位置という）を示す平面図である。また、図２はトレイ２をシャーシ１０に収納した状態（以下、この状態を収納状態といい、この時のトレイ２の位置を収納位置という）を示す図である。尚、図２（Ａ）は平面図、図２（Ｂ）は正面図、図２（Ｃ）は図２（Ａ）において矢印Ａで示す部分の拡大図である。
【００４１】
各図に示すように、ディスク装置１Ａは、大略するとトレイ２，ガイドレール機構４，ターンテーブル６，ピックアップ組立体７，ロック機構９，及びシャーシ１０等により構成されている。尚、図１及び図２（Ａ）は、いずれもシャーシ１０の上部に覆うよう配設される天板（図示せず）を取り外した状態を示している。
【００４２】
トレイ２（請求項に記載の可動ユニットに相当する）は、ターンテーブル６，ピックアップ組立体７，ディスク載置部２ａ，及びロック機構９の一部を構成するイジェクト棒２２Ａ（請求項に記載の操作部材に相当する）等が設けられた構成とされている。このトレイ２は、シャーシ１０に対して図中矢印Ｘ１，Ｘ２方向に移動可能な構成とされている。
【００４３】
即ち、シャーシ１０の両側部にはガイドレール機構４が設けられており、このガイドレール機構４が矢印Ｘ１，Ｘ２方向に伸長或いは収縮することにより、トレイ２はシャーシ１０に対して矢印Ｘ１，Ｘ２方向に移動する構成とされている。このように、ガイドレール機構４を用いることにより、図１に示すようにトレイ２をシャーシ１０に対して矢印Ｘ１方向に大きく引き出すことができるため、トレイ２に対するディスク３の装着脱を容易に行なうことができる。
【００４４】
また、ターンテーブル６は、トレイ２の略中央位置に配設されている。このターンテーブル６はディスク３が装着されるものであり、トレイ２の下部に配設されたディスクモータ５０（図５参照）により回転する構成とされている。これにより、ターンテーブル６に装着されたディスク３も回転する構成とされている。本実施例では、ディスク回転速度は３２倍速とされており、再生時においてディスク３は高速回転する。
【００４５】
また、トレイ２には、光学式ピックアップ５をディスク３の半径方向（図中矢印Ｚ１，Ｚ２方向）に移動させるスレッドモータ５２（図５参照）を内設したピックアップ組立体７が配設されている。光学式ピックアップ５は、ディスク３に対してレーザ光を照射すると共に、その反射光を受光することにより再生処理を行なうものである。
【００４６】
また、トレイ２の前面部には、前面ベゼル１１が配設されている。よって、この前面ベゼル１１は、トレイ２と一体的に矢印Ｘ１，Ｘ２方向に移動する。この前面ベゼル１１の図中矢印Ｙ２方向の端部近傍には、外側に向け突出する凸部１１ａが形成されており、この凸部１１ａの中央にはホールが形成されている。
【００４７】
更に、トレイ２の裏面には、イジェクト棒２２Ａが図中矢印Ｘ１，Ｘ２方向に延在するよう配設されている。このイジェクト棒２２Ａは、後述するロック解除機構の一部を構成するものである。尚、説明の便宜上、イジェクト棒２２Ａの説明は、ロック解除機構の説明と共に後述するものとする。
【００４８】
上記構成とされたトレイ２は、ディスク３の一部がトレイ２からはみ出るようにディスク３の外径よりも横幅寸法が小さくなるように形成されている。また本実施例では、トレイ２が矢印Ｘ１，Ｘ２方向に移動する際、モータ等の駆動手段を用いておらず、手動操作により排出位置と収納位置との間で移動させる構成とされている。
【００４９】
これにより、ディスク装置１Ａには、トレイ２を移動させるための駆動機構（モータ及び伝達機構等よりなる）を設ける必要はなくなり、よってその分部品点数が減少し、ディスク装置１Ａの小型化及び薄型化を図ることができる。更に、ディスク３の一部がトレイ２からはみ出しているため、ディスク３をトレイ２に装着脱する際、このディスク３のはみ出し部分を把持して装着脱できるため、装着脱操作を容易に行なうことができる。
【００５０】
次に、シャーシ１０について説明する。シャーシ１０は、大略するとトレイ２が収納される筐体状の収納部１０ａと、収納状態においてトレイ２からはみ出したディスク３を保護するカバー部１０ｂとにより構成されている。収納部１０ａには、電子回路が配設されたプリント基板１３が設けられている。
【００５１】
プリント基板１３は、図１に示すように、シャーシ１０の図中矢印Ｘ２方向端部に配設されている。即ち、プリント基板１３は、前面ベゼル１１から最も離れた位置に配設されている。
【００５２】
このプリント基板１３はコネクタ１４，１８を有しており、コネクタ１４はパーソナルコンピュータ等のホスト装置５７（図５参照）に接続される構成とされており、これによりディスク装置１Ａはホスト装置５７と接続される。また、コネクタ１８は、フレキシブル基板１５を介してトレイ２に設けられた電子部品（光学式ピックアップ５，ディスクモータサーボ回路５１,スレッドモータ５２等）と電気的に接続されている。
【００５３】
このように、フレキシブル基板１５を用いてトレイ２とプリント基板１３とを電気的に接続することにより、シャーシ１０に対しトレイ２が移動する構成としても、トレイ２（光学式ピックアップ５，ディスクモータ５０,スレッドモータ５２等）とシャーシ１０（プリント基板１３）とを確実に電気的に接続することができる。
【００５４】
更に、プリント基板１３には、ＬＥＤ（発光ダイオード）４０、トレイスイッチ４１、及びイジェクトスイッチ４２等が配設されている。各スイッチ４１，４２は後述するロック解除機構を構成するものであり、イジェクト棒２２Ａと係合することによりトレイ２の状態検出を行なう。
また、ＬＥＤ４０は、ディスク３に対し再生処理を実施している際に点灯し、後述するようにイジェクト棒２２Ａに向け光を発射させる。尚、説明の便宜上、各スイッチ４１，４２及びＬＥＤ４０の詳細説明については後述するものとする。
【００５５】
一方、カバー部１０ｂは、前記したディスク３のトレイ２からはみ出した部分の下部を覆うよう構成されている。これにより、ディスク３のトレイ２に保持されない部位は、カバー部１０ｂにより保護される。尚、ディスク３のトレイ２からはみ出した部分の上部は、シャーシ１０上に装着される天板（図示せず）により保護される。
【００５６】
また、カバー部１０ｂの側壁１０ｃには、制動部材１９が配設されている。この制動部材１９は例えば弾性材により形成されており、収納位置にあるディスク３が排出位置に向け移動される際、ディスク３の外周と摺接するよう構成されている。
【００５７】
これにより、収納位置で再生／記録処理のために高速回転していたディスク３は、図中矢印Ｘ１方向への移動に伴い制動部材１９と摺接し、その回転が制動される。従って、収納位置から排出位置に移動した際、ディスク３は必ず停止した状態となっており、ディスク３に損傷が発生することを防止している。
【００５８】
また、シャーシ１０には、イジェクトスライダ１６及びコイルバネ１７が配設されている。このイジェクトスライダ１６及びコイルバネ１７は、シャーシ１０に配設されたプリント基板１３の下部で、図中矢印Ｙ１方向の側部に配設されている。イジェクトスライダ１６はトレイ２が収納位置に位置した際、トレイ２の図中矢印Ｘ２方向端部と当接し押圧されるよう構成されている。
【００５９】
また、イジェクトスライダ１６はコイルバネ１７により、常に図中矢印Ｘ１方向に付勢された構成となっている。従って、トレイ２が収納位置に位置することにより、イジェクトスライダ１６はトレイ２に押圧され、コイルバネ１７は弾性力を蓄成する。
【００６０】
一方、図５はディスク装置１Ａの回路構成を示している。同図に示されるように、ターンテーブル６を回転させるディスクモータ５０は、ディスクモータサーボ回路５１を介してシステムコントローラ６１及び再生信号処理回路５５に接続されており、ターンテーブル６が定速回転するよう制御されている。
また、光学式ピックアップ５を駆動するスレッドモータ５２もスレッドモータ制御回路５３を介してシステムコントローラ６１に接続されており、このシステムコントローラ６１により光学式ピックアップ５の駆動制御が行なわれる構成とされている。
【００６１】
また、光学式ピックアップ５で検出された検出信号は、増幅及び演算回路５４において増幅処理等が行なわれた後、再生信号処理回路５５，フォーカスサーボ回路５８，及びトラッキングサーボ回路６０に送られる。再生信号処理回路５５は、光学式ピックアップ５で検出された信号からディスク３の再生信号を生成する。
【００６２】
この生成された再生信号は、インターフェース５６を介してホスト装置５７に送られる。この際、再生信号処理回路５５はシステムコントローラ６１に接続されており、再生信号のホスト装置５７への送信はシステムコントローラ６１により制御される。
【００６３】
また、フォーカスサーボ回路５８及びトラッキングサーボ回路６０は、光学式ピックアップ５からの検出信号に基づきフォーカスサーボ信号及びトラッキングサーボ信号を生成する。この各サーボ信号は光学式ピックアップ５及びスレッドモータ制御回路５３に送られ、これにより光学式ピックアップ５は適正に駆動させる構成となっている。
【００６４】
また、前記したトレイスイッチ４１及びイジェクトスイッチ４２もシステムコントローラ６１に接続されている。更に、後述するロック機構９を構成するソレノイド２１もシステムコントローラ６１に接続されている。
【００６５】
ところで、再生時に誤ってトレイ２がシャーシ１０から引き出されると、ディスク３及びディスク装置１Ａを構成する各部品・装置が損傷するおそれがある。このため、記録媒体装着装置には、再生時（即ち、トレイ２が収納位置にある時）においてトレイ２がシャーシ１０から引き出されるのを防止するロック機構９が設けられている。また、再生処理が終了した際、適正にトレイ２をシャーシ１０から引き出すため、ロック機構９によるロックを解除するためのロック解除機構も設けられている。
【００６６】
以下、このロック機構９の構成及び動作について、図１乃至図４を用いて詳述する。
【００６７】
ロック機構９は、大略するとロックアーム２０Ａ，ソレノイド２１，イジェクト棒２２Ａ，ロックピン２３，トレイスイッチ４１，及びイジェクトスイッチ４２等により構成されている。また、ロック解除機構は、イジェクト棒２２Ａ，トレイスイッチ４１，イジェクトスイッチ４２，及びシステムコントローラ６１（請求項記載のロック解除手段に相当する）等により構成されている。
【００６８】
先ず、ロック機構９について説明する。ロックアーム２０Ａは、シャーシ１０に植設された支軸２７に回動可能に取り付けられている。また、支軸２７には図示しないトーションバネが設けられており、このトーションバネによりロックアーム２０Ａは図中反時計方向に回動付勢されている。
【００６９】
このロックアーム２０Ａには、ロック爪２４，及び接続部２５が一体的に形成されている。ロック爪２４は、トレイ２に設けられているロックピン２３と係合する構成とされている。また、接続部２５は、ソレノイド２１の駆動ピン２１ａと接続されている。この駆動ピン２１ａは、ソレノイド２１が励磁されることにより図中矢印Ｘ１方向に変位する構成とされている。
【００７０】
よって、ソレノイド２１が励磁され駆動ピン２１ａが変位することにより、ロックアーム２０Ａは支軸２７を中心として図中時計方向に回転する構成とされている。このソレノイド２１は、図５に示すようにシステムコントローラ６１に接続されており、このシステムコントローラ６１により励磁が制御される構成とされている。
【００７１】
ロックアーム２０Ａに形成されたロック爪２４は、トレイ２が図中矢印Ｘ２方向に移動し収納位置に位置することにより、ロックピン２３と係合しトレイ２の移動をロックする構成とされている。これにより、ディスク３に対して再生処理が行われているときにトレイ２がシャーシ１０から引き出されることを防止でき、ディスク３の保護及びディスク装置１Ａを構成する各種装置に損傷が生じることを防止することができる。図２は、ロック機構９によりトレイ２がロックされた再生状態を示している。
【００７２】
次に、ロック解除機構について説明する。
【００７３】
イジェクト棒２２Ａは、前記したようにトレイ２に図中矢印Ｘ１，Ｘ２方向に移動可能に設けられている。このイジェクト棒２２Ａは内部を光が通過しうる材料（例えばアクリル樹脂等）により形成されると共に、操作／発光部３０、受光部３１、バネ掛け部３２、係止用凸部３３、及び端部２８が一体成型された構成とされている。
【００７４】
イジェクト棒２２Ａは、トレイ２に配設されたガイド（図示せず）により、図中矢印Ｘ１，Ｘ２方向に移動可能な構成とされている。また、バネ掛け部３２とバネ掛けピン３７（トレイ２に植設されている）との間にはコイルバネ３６が張架されており、このコイルバネ３６によりイジェクト棒２２Ａは常に矢印Ｘ１方向に移動付勢されている。
【００７５】
しかしながら、イジェクト棒２２Ａに形成された係止用凸部３３が、トレイ２に形成されたボス３８に係止されることにより、イジェクト棒２２Ａはそれ以上の図中矢印Ｘ１方向への移動が規制されている。この状態において、イジェクト棒２２Ａの図中矢印Ｘ１方向端部に形成されている操作/発光部３０は、前面ベゼル１１の表面から若干量突出する構成とされている。
【００７６】
従って、操作者が操作/発光部３０を押圧操作することにより、イジェクト棒２２Ａは、コイルバネ３６の弾性力に抗して図中矢印Ｘ２方向に移動する。尚、操作/発光部３０の前面ベゼル１１からの突出量は、凸部１１ａの突出量よりは低く設定されており、これにより操作/発光部３０が誤操作されることを防止している。
【００７７】
また、受光部３１には鏡面加工がされており、イジェクト棒２２Ａの側部に位置するよう形成されている。この受光部３１は、図２に示すトレイ２が収納位置に位置する状態において、プリント基板１３に配設されているＬＥＤ４０と対向するよう構成されている。従って、受光部３１と対向した状態においてＬＥＤ４０が点灯すると、ＬＥＤ４０の光は受光部３１に照射される。
【００７８】
このようにＬＥＤ４０からの光が受光部３１に入射されると、この光はイジェクト棒２２Ａ内に導かれ、イジェクト棒２２Ａ内を図中矢印Ｘ１方向に進行する。よって、操作者はＬＥＤ４０の光を操作/発光部３０から見ることができる。また、ＬＥＤ４０は、ディスク３に対して再生処理が実施されている時に点灯するようシステムコントローラ６１により制御されている。従って、操作者は操作/発光部３０が光っているか否かにより、ディスク３に対して再生処理が実施されているか否かを判断することができる。
【００７９】
上記のようにシャーシ１０に配設されたプリント基板１３にＬＥＤ４０を設けることにより、シャーシ１０とトレイ２との間を電気的に接続する配線数を少なくすることができ、ＦＰＣ１５の配線数を少なくすることができる。
また、プリント基板１３にはＬＥＤ４０を駆動する駆動回路が設けられているが、この駆動回路が設けられたプリント基板１３にＬＥＤ４０を配設することにより、ＬＥＤ駆動電流の減衰を考慮する必要がなくなり、ＬＥＤ４０の発光効率の向上、及び記録媒体装着装置の消費電流の低減を図ることができる。
【００８０】
また、従来のようにＬＥＤ１１４を前面ベゼル１１１に配設した構成では、ＬＥＤ１１４と操作者との間で静電気の放電が発生し、これによりディスク装置１Ａ内に配設されている電子部品が損傷してしまうおそれがあった（図１８参照）。しかしながら、ＬＥＤ４０をシャーシ１０側に配設することにより、ＬＥＤ４０と操作者によるイジェクト棒２２Ａの操作位置（即ち、操作／発光部３０）とを大きく離間させることができる。
これにより、ＬＥＤ４０と操作者との間で静電気の放電が発生することを防止でき、よってディスク装置１Ａ内に配設されている電子部品に静電気に起因した損傷が発生することを防止することができる。
【００８１】
更に、プリント基板１３の側縁には、ＬＥＤ４０と共にトレイスイッチ４１及びイジェクトスイッチ４２が矢印Ｘ１，Ｘ２方向に列設されている。この各スイッチ４１，４２は、いわゆるノーマルオフのＯＮ／ＯＦＦスイッチであり、前記したようにシステムコントローラ６１に接続されている（図５参照）。また、各スイッチ４１，４２は、トレイ２の移動に伴いトレイ２に配設されているイジェクト棒２２Ａの端部２８と係合するよう構成されている。
【００８２】
具体的には、図２に示すようにトレイ２が収納位置に位置しロックされた状態では、図２（Ｃ）に拡大して示すように、トレイ２に配設されたイジェクト棒２２Ａの端部２８は、トレイスイッチ４１と係合しこれを操作するよう構成されている。
【００８３】
即ち、トレイ２が収納位置に位置し、ロック機構９がトレイ２をロックしている状態では、トレイスイッチ４１は閉成（ＯＮ）した状態となる。但し、この収納状態では、イジェクトスイッチ４２はイジェクト棒２２Ａとは係合しておらず、操作されていない開成（ＯＦＦ）した状態となっている。
システムコントローラ６１は、トレイスイッチ４１が閉成（ＯＮ）した状態となっていることを検知することにより、トレイ２が収納位置に位置し、ロック機構９がトレイ２をロックした状態となっていることを認識する。
【００８４】
一方、図２に示すトレイ収納状態において、トレイ２をシャーシ１０から排出（イジェクト）させるには、操作者はイジェクト棒２２Ａを図中矢印Ｘ２方向に押圧操作する。前記のようにトレイ収納状態ではロック機構９によりトレイ２はシャーシ１０に固定された状態となっているが、イジェクト棒２２Ａはトレイ２に対して移動可能な構成とされている。よって、操作者が操作／発光部３０を押圧操作することにより、イジェクト棒２２Ａは図中矢印Ｘ２方向に移動する。
【００８５】
図３は、イジェクト棒２２Ａは図中矢印Ｘ２方向に移動したイジェクト操作状態を示している。イジェクト操作状態では、図３（Ｂ）に拡大して示すように、イジェクト棒２２Ａの端部２８はイジェクトスイッチ４２と係合している。これにより、イジェクトスイッチ４２は閉成（ＯＮ）された状態となる。この際、同図に示されるように、トレイスイッチ４１はイジェクト棒２２Ａにより閉成（ＯＮ）された状態を維持している。
よって、システムコントローラ６１は、トレイスイッチ４１が閉成（ＯＮ）し、かつイジェクトスイッチ４２も閉成（ＯＮ）した状態となっていることを検知することにより、操作者によりトレイ２を引き出すイジェクト指示が行なわれたと認識する。尚、図１及び図４に示すトレイ２の排出状態は、トレイスイッチ４１及びイジェクトスイッチ４２が、いずれも開成（ＯＦＦ）していることにより検知することができる。
【００８６】
続いて、上記したロック機構９及びロック解除機構の動作について説明する。
【００８７】
先ず、トレイ２を図１に示す排出位置から図２に示す収納位置に移動させる動作について説明する。トレイ２を収納位置に移動させるには、操作者は前面ベゼル１１を把持してトレイ２を図中矢印Ｘ２方向に移動させる。
これにより、トレイ２はガイドレール機構４にガイドされつつ、図中矢印Ｘ２方向に移動する。この時、イジェクト棒２２Ａはコイルバネ３６のバネ力により図中矢印Ｘ１方向に付勢されているが、係止用凸部３３がボス３８と当接することによりそれ以上の移動が規制されている。またこの状態において、操作/発光部３０は前面ベゼル１１から若干量突出した状態となっている。
【００８８】
トレイ２が収納位置まで移動されると、図２に示されるように、トレイ２に設けられているロックピン２３は、ロック機構９を構成するロックアーム２０Ａのロック爪２４と係合する。具体的には、トレイ２の移動に伴いロックピン２３がロックアーム２０Ａのロック爪２４と係合し、ロックアーム２０Ａを時計方向に変位させる。
前記したように、ロックアーム２０Ａには図示しないトーションバネが設けられているため、ロックピン２３がロック爪２４の内側位置までトレイ２が矢印Ｘ２方向に移動すると、ロックアーム２０Ａはトーションバネの付勢力により反時計方向に変位し、これによりロックピン２３はロック爪２４と係合する。
この状態において、トレイ２はロック機構９によりシャーシ１０にロックされた状態となり、図中矢印Ｘ１方向への移動が規制される。
【００８９】
一方、トレイ２が収納位置に向け移動することにより、トレイ２に配設されたイジェクト棒２２Ａもトレイ２と共に図中矢印Ｘ２方向に移動する。そして、トレイ２が収納位置まで移動した時、図２（Ｃ）に示すようにイジェクト棒２２Ａの端部２８はトレイスイッチ４１を操作する。これにより、システムコントローラ６１はトレイ２が収納状態となったことを検知する。
【００９０】
この際、イジェクト棒２２に形成された係止用凸部３３が、トレイ２に形成されたボス３８に当接している。このため、端部２８がトレイスイッチ４１を操作する際、イジェクト棒２２Ａが矢印Ｘ１方向に移動（トレイ２に対して移動）するようなことはなく、トレイ２が収納状態となったことを確実に検知することができる。
【００９１】
また、上記の収納状態において、受光部３１はＬＥＤ４０と対峙している。従って、ＬＥＤ４０が点灯すると、前記したようにＬＥＤ４０から発せられた光は受光部３１からイジェクト棒２２Ａ内に取り込まれ、内部を進行して操作／発光部３０からＬＥＤ４０の点灯を視認することができる。
【００９２】
上記収納状態において、ディスク装置１Ａはトレイ２に載置されたディスク３に対して再生処理を行なう。また、再生処理時には、操作/発光部３０が点灯するため、操作者はディスク装置１Ａが再生処理状態であることを操作/発光部３０の点灯により確認することができる。
【００９３】
続いて、図２に示す収納状態より、トレイ２をシャーシ１０から引き出す処理（イジェクト処理）について説明する。
【００９４】
トレイ２をシャーシ１０から引き出すには、操作者は前面ベゼル１１に突出している操作/発光部３０を図中矢印Ｘ２方向に押圧操作する。これによりイジェクト棒２２Ａはコイルバネ３６の弾性力に抗して矢印Ｘ２方向に移動し、イジェクト棒２２Ａに形成されている端部２８は、図３に示すようにイジェクトスイッチ４２を押圧操作する。
【００９５】
システムコントローラ６１は、トレイスイッチ４１及びイジェクトスイッチ４２が共に閉成（ＯＮ）状態となると、ソレノイド駆動トランジスタ６２を駆動してソレノイド２１に通電を行なう。これにより、ソレノイド２１は励磁され、図４に示すように駆動ピン２１ａは図中矢印Ｘ１方向に吸引される。
【００９６】
上記のように駆動ピン２１ａが吸引されると、ロックアーム２０Ａは支軸２７を中心として時計方向に回動する。この回動に従い、ロック爪２４はロックピン２３から離間するよう移動し、やがてロック爪２４はロックピン２３から離脱する。これにより、ロック機構９によるトレイ２のロックは解除され、トレイ２は図中矢印Ｘ１方向に向け（排出位置に向け）移動可能な状態となる。
【００９７】
また、収納状態においてイジェクトスライダ１６がトレイに押圧されることにより、コイルバネ１７は伸長されて弾性力を蓄成した状態となっている。よって、ロック機構９によるロックが解除されることにより、コイルバネ１７に接続されているイジェクトスライダ１６はトレイ２を図中矢印Ｘ１方向に向け移動させる。
これにより、トレイ２の前面ベゼル１１側の一部はシャーシ１０から飛び出した状態となる（図４は、この状態を示している）。操作者は、このトレイ２のシャーシ１０から飛び出した部位を把持し、トレイ２を排出位置まで引き出す。これにより、トレイ２は排出位置まで移動される。
【００９８】
上記のように本実施例の構成では、トレイ２の収納位置におけるロック機構９によるロックは、ロック解除機構を構成するイジェクト棒２２Ａを操作することにより行なうことができる。即ち、従来のような電気的なイジェクトスイッチ１１７（図１８参照）をトレイ２に設ける必要はなくなる。
これにより、静電気耐性が向上し、操作時に操作者と電気部品との間で静電気の放電が発生することを防止することができる。よって、静電放電に起因して、ディスク装置１Ａに設けられている電子部品が破壊されることを確実に防止することができる。
【００９９】
また、電気的なイジェクトスイッチ１１７を廃することに伴い記録媒体装着装置の部品点数を削減でき、また配線部品の個別不良を低減できるため、記録媒体装着装置の信頼生を向上させることができる。また、ＦＰＣ１５の配線数が少なくなるため、ＦＰＣ１５のコスト低減を図ることもできる。
【０１００】
続いて、本発明の第２実施例について説明する。
【０１０１】
図６乃至図１０は、第２実施例である記録媒体装着装置を搭載したディスク装置１Ｂの構成及び動作を説明するための図である。尚、図６乃至図１０において、先に図１乃至図５を用いて説明した第１実施例と同一構成については、同一符号を付してその説明を省略する。
【０１０２】
先に説明した第１実施例に係る記録媒体装着装置では、トレイスイッチ４１とイジェクトスイッチ４２との２個のスイッチを用い、トレイ２がシャーシ１０内の収納位置に収納されたことの検出と、イジェクト棒２２Ａが操作者により操作されたことの検出を別個のスイッチ４１，４２により行なっていた。
【０１０３】
これに対して本実施例では、１個のトレイ／イジェクトスイッチ４３により、トレイ２がシャーシ１０内の収納位置に収納されたことの検出と、イジェクト棒２２Ａが操作者により操作されたことの検出を行ないうるよう構成したことを特徴とするものである。
【０１０４】
トレイ／イジェクトスイッチ４３は、第１実施例に設けられた各スイッチ４１，４２と同様に、プリント基板１３に配設されている。このトレイ／イジェクトスイッチ４３は、本体部４３Ａとアーム部４３Ｂとにより構成されている。
アーム部４３Ｂは本体部４３Ａに対して３位置に変位する構成とされており、各変位位置において出力信号を生成できる構成とされている。即ち，トレイ／イジェクトスイッチ４３は、３位置検出スイッチが用いられている。
【０１０５】
また、アーム部４３Ｂは各図に矢印Ｄ１，Ｄ２で示す方向に移動可能な構成とされているが、本体部４３Ａに内設されたバネにより矢印Ｄ１方向に常に付勢された構成とされている。
【０１０６】
このトレイ／イジェクトスイッチ４３の内部構成について、図１０を用いて説明する。同図に示すように、トレイ／イジェクトスイッチ４３は、本体部４３Ａ内に端子ａ〜端子ｃの３個の端子を有しており、アーム部４３Ｂが移動することにより接続端子ｄが端子ａ〜端子ｃに選択的に接続する構成とされている。また、端子ａ〜端子ｃは図１０に示されるようにシステムコントローラ６１に接続されている。
【０１０７】
接続端子ｄが端子ａと接続した状態は、アーム部４３Ｂが図６及び図９に示す矢印Ｄ１方向限まで変位した状態である。この状態では、アーム部４３Ｂとイジェクト棒２２Ａは離間した状態となっている。
このように、アーム部４３Ｂとイジェクト棒２２Ａとが離間した状態は、トレイ２がシャーシ１０から排出された排出状態である。よって、接続端子ｄが端子ａと接続することにより、システムコントローラ６１はトレイ２が排出状態であることを検知することができる。
【０１０８】
また、接続端子ｄが端子ｂと接続した状態は、図７に示すようにアーム部４３Ｂがトレイ２の移動方向に対して略直角となった状態である。この時、アーム部４３Ｂはトレイ２に配設されたイジェクト棒２２Ａと係合し、図６及び図９に示す排出状態より矢印Ｄ２方向に変位されている。
この状態は、トレイ２が矢印Ｘ２方向に移動し、ロック機構９によりトレイ２がロックされた収納状態である。よって、接続端子ｄが端子ｂと接続することにより、システムコントローラ６１はトレイ２が収納状態であることを検知することができる。
【０１０９】
更に、接続端子ｄが端子ｃと接続した状態は、図８に示すようにアーム部４３Ｂがイジェクト棒２２Ａにより矢印Ｘ２方向に変位された状態である。これにより、アーム部４３Ｂは図７に示した排出状態よりも、更にＤ２方向に変位した状態となる。
この状態は、操作者がトレイ２を排出（イジェクト）させるためにイジェクト棒２２Ａを操作した状態である。よって、接続端子ｄが端子ｃと接続することにより、システムコントローラ６１は操作者によりイジェクト操作がされたことを検知することができる。
【０１１０】
続いて、本実施例におけるロック機構９及びロック解除機構の動作について説明する。
【０１１１】
本実施例においても、図６に示す排出状態よりトレイ２を収納位置に移動させるには、操作者は前面ベゼル１１を把持してトレイ２を図中矢印Ｘ２方向に移動させる。トレイ２が収納位置まで移動されると、図７に示されるように、トレイ２に設けられているロックピン２３は、ロック機構９を構成するロックアーム２０Ａのロック爪２４と係合する。これにより、トレイ２はロック機構９によりシャーシ１０にロックされた状態となり、図中矢印Ｘ１方向への移動が規制される。
【０１１２】
一方、トレイ２が収納位置に向け移動することにより、トレイ２に配設されたイジェクト棒２２Ａもトレイ２と共に図中矢印Ｘ２方向に移動し、その端部２８はトレイ／イジェクトスイッチ４３のアーム部４３Ｂと係合する。そして、トレイ２が収納位置まで移動するまでに、アーム部４３Ｂはトレイ２の移動方向に対して略直角となる位置まで移動される。
これにより、トレイ／イジェクトスイッチ４３内において接続端子ｄは端子ａから端子ｂに切替わり、よってシステムコントローラ６１はトレイ２が収納状態となったことを検知する。
【０１１３】
この際、前記したようにイジェクト棒２２に形成された係止用凸部３３が、トレイ２に形成されたボス３８に当接している。このため、アーム部４３Ｂはイジェクト棒２２Ａの移動に伴い確実に操作され、よってトレイ２が収納状態となったことを確実に検知することができる。尚、上記の収納状態において、受光部３１はＬＥＤ４０と対峙し、操作／発光部３０からＬＥＤ４０の点灯を視認することができることは第１実施例と同様である。
【０１１４】
続いて、図７に示す収納状態より、トレイ２をシャーシ１０から引き出す処理（イジェクト処理）について説明する。トレイ２をシャーシ１０から引き出すには、第１実施例と同様に、操作者は前面ベゼル１１に突出している操作/発光部３０を図中矢印Ｘ２方向に押圧操作する。
【０１１５】
この操作により、イジェクト棒２２Ａはコイルバネ３６の弾性力に抗して矢印Ｘ２方向に移動し、イジェクト棒２２Ａに形成されている端部２８は、図８に示すようにトレイ／イジェクトスイッチ４３のアーム部４３Ｂを更に矢印Ｄ２方向に押圧する（図８（Ｂ）に詳しい）。これにより、トレイ／イジェクトスイッチ４３内において、接続端子ｄは端子ｂから端子ｃに切替わり、よってシステムコントローラ６１は操作者によりイジェクト操作がされたことを検知する。
【０１１６】
システムコントローラ６１は、トレイ／イジェクトスイッチ４３からイジェクト操作がされたことを検知すると、ソレノイド駆動トランジスタ６２を駆動してソレノイド２１に通電を行なう。これにより、第１実施例と同様の動作がロック機構９において実施され、ロック機構９によるトレイ２のロックは解除され、トレイ２は図中矢印Ｘ１方向に向け（排出位置に向け）移動可能な状態となる。
【０１１７】
また、トレイ２の前面ベゼル１１側の一部は、コイルバネ１７によりシャーシ１０から飛び出した状態となる（図９参照）。操作者は、トレイ２のシャーシ１０から飛び出した部位を把持してトレイ２を排出位置まで引き出し、これによりトレイ２は排出位置まで移動される。
【０１１８】
上記のように本実施例においても、先に説明した第１実施例と同様に電気的なイジェクトスイッチ１１７をトレイ２に設けていないため、静電気耐性が向上し、操作時に操作者と電気部品との間で静電気の放電が発生することを防止することができ、電子部品が破壊されることを確実に防止することができる。また、電気的なイジェクトスイッチ１１７を廃することに伴い、記録媒体装着装置の部品点数を削減、配線部品の個別不良低減、及びＦＰＣ１５のコスト低減等を図ることもできる。
【０１１９】
更に、第１実施例ではイジェクトスイッチ４２とトレイ／イジェクトスイッチ４３の２個のスイッチを設け、トレイ２の排出検出、トレイ２の収納検出、及びイジェクト操作検出を別個のスイッチで実施していた。これに対し、本実施例では、単一の（１個の）トレイ／イジェクトスイッチ４３で、上記のトレイ２の排出検出、トレイ２の収納検出、及びイジェクト操作検出を行なうことができるため、第１実施例の構成に比べて部品点数の削減及び低コスト化を図ることができる。
【０１２０】
続いて、本発明の第３実施例について説明する。
【０１２１】
図１１乃至図１７は、第３実施例である記録媒体装着装置を搭載したディスク装置１Ｃの構成及び動作を説明するための図である。尚、図１１乃至図１７においても、先に図１乃至図５を用いて説明した第１実施例と同一構成については、同一符号を付してその説明を省略する。
【０１２２】
本実施例に係る記録媒体装着装置では、イジェクト棒２２Ｂをトレイ２の図中矢印Ｙ１側に配設した構成としている。これにより、トレイ２をシャーシ１０に収納した状態において、イジェクト棒２２Ｂはロック機構９と近接した構成となる。
【０１２３】
また、イジェクト棒２２Ｂの端部２８近傍には、スイッチ駆動凹部３９（請求項に記載の被検出部に相当する）が形成されている（図１２（Ｃ）、図１３（Ｂ）、図１４（Ｂ）に詳しい）。このスイッチ駆動凹部３９は、後述するようにトレイ／イジェクトスイッチ４４と係合する構成とされている。更に、イジェクト棒２２Ｂの係止用凸部３３とスイッチ駆動凹部３９との間には、エマージェンシー用凸部３４が図中矢印Ｙ２方向に突出形成されている。
【０１２４】
また本実施例では、ロック機構９を構成するロックアーム２０Ｂにロック解除アーム２６が形成された構成とされている。このロック解除アーム２６は、後述するようにイジェクト棒２２Ｂに形成されたエマージェンシー用凸部３４と係合する構成とされている。
【０１２５】
更に、イジェクト棒２２Ｂをトレイ２の図中矢印Ｙ１側に配設したことに対応して、トレイ／イジェクトスイッチ４４はプリント基板１３の図中矢印Ｙ１側に配設されている。このトレイ／イジェクトスイッチ４４は、後述するようにイジェクト棒２２Ｂに形成されているスイッチ駆動凹部３９を検出することにより、単一（１個）のスイッチでトレイ２の排出検出、トレイ２の収納検出、及びイジェクト操作検出を行ないうる構成とされている。よって、第２実施例のトレイ／イジェクトスイッチ４３と同様に第１実施例の構成に比べて部品点数の削減及び低コスト化を図ることができる。
【０１２６】
続いて、本実施例におけるロック機構９及びロック解除機構の動作について説明する。
本実施例では、トレイ／イジェクトスイッチ４４がイジェクト棒２２Ｂに形成されているスイッチ駆動凹部３９を検出することにより、１個のスイッチでトレイ２の排出検出、トレイ２の収納検出、及びイジェクト操作検出を行なう構成とされている。
【０１２７】
このトレイ／イジェクトスイッチ４４は、イジェクト棒２２Ｂの移動に伴いスイッチ駆動凹部３９と係合している状態でＯＦＦ状態となり、イジェクト棒２２Ｂのスイッチ駆動凹部３９以外の部位と係合している状態でＯＮ状態となり、更にイジェクト棒２２Ｂと離間している状態でＯＦＦ状態となる。
このためシステムコントローラ６１は、トレイ／イジェクトスイッチ４４のＯＮ／ＯＦＦの変化（出力変化）を検出することにより、トレイ２のロック及びロック解除処理を行なう構成とされている。図１７は、トレイ／イジェクトスイッチ４４（図１７では、ＳＷ４４と略称している）の出力に基づき、システムコントローラ６１が実行するロック及びロック解除処理プログラムを示している。
【０１２８】
以下、具体的な動作について説明する。
図１１に示す排出状態よりトレイ２を収納位置に移動させるには、操作者は前面ベゼル１１を把持してトレイ２を図中矢印Ｘ２方向に移動させる。トレイ２が収納位置まで移動されると、図１２に示されるように、トレイ２に設けられているロックピン２３は、ロックアーム２０Ａのロック爪２４と係合する。これにより、トレイ２はロック機構９によりシャーシ１０にロックされた状態となり、図中矢印Ｘ１方向への移動が規制される。
【０１２９】
一方、トレイ２が収納位置に向け移動することにより、トレイ２に配設されたイジェクト棒２２Ｂもトレイ２と共に図中矢印Ｘ２方向に移動し、図１２に示すように、その端部２８はトレイ／イジェクトスイッチ４４と係合する（図１２（Ｃ）に詳しい）。これにより、トレイ／イジェクトスイッチ４４は、ＯＦＦ状態からＯＮ状態に変化する。
【０１３０】
システムコントローラ６１は、図１７のステップ１０（図では、ステップをＳと略称している）において、トレイ／イジェクトスイッチ４４がＯＮ状態になったことを検知することにより、トレイ２が収納状態となったことを検知する。尚、この収納状態において、受光部３１はＬＥＤ４０と対峙し、操作／発光部３０からＬＥＤ４０の点灯を視認することができることは第１及び第２実施例と同様である。
【０１３１】
続いて、図１２に示す収納状態より、トレイ２をシャーシ１０から引き出す処理（イジェクト処理）について説明する。トレイ２をシャーシ１０から引き出すには、第１及び第２実施例と同様に、操作者は前面ベゼル１１に突出している操作/発光部３０を図中矢印Ｘ２方向に押圧操作する。
【０１３２】
この押圧操作により、イジェクト棒２２Ｂはコイルバネ３６の弾性力に抗して矢印Ｘ２方向に移動する。そして、この移動の過程において、先ずイジェクト棒２２Ｂに形成されているスイッチ駆動凹部３９は、図１３に示すようにトレイ／イジェクトスイッチ４４と係合する（図１３（Ｂ）に詳しい）。
【０１３３】
これにより、トレイ／イジェクトスイッチ４４はＯＮ状態からＯＦＦ状態に変化し、この信号変化はシステムコントローラ６１に送信される。従って、図１７のステップ１１においてシステムコントローラ６１は肯定判断を行ない、処理はステップ１２に進む。
【０１３４】
一方、操作者が操作／発光部３０の押圧操作を解除すると、コイルバネ３６のバネ力によりイジェクト棒２２Ｂは矢印Ｘ１方向に戻り、トレイ／イジェクトスイッチ４４はスイッチ駆動凹部３９から離脱して再びイジェクト棒２２Ｂの端部２８の側壁と対向する。
これにより、トレイ／イジェクトスイッチ４４は、ＯＦＦ状態からＯＮ状態に変化し、この信号変化はシステムコントローラ６１に送信される。従って、図１７のステップ１２においてシステムコントローラ６１は肯定判断を行ない、処理はステップ１３に進む。
【０１３５】
ステップ１３では、システムコントローラ６１はディスクモータサーボ回路５１を介してディスクモータ５０を制動すると共に、所定の時間が経過するのを待つ。この所定時間は、ターンテーブル６が減速するのに要する時間とされている。
【０１３６】
続くステップ１４では、システムコントローラ６１はソレノイド駆動トランジスタ６２を駆動してソレノイド２１に対し所定時間通電を行なう。これにより、第１及び第２実施例と同様の動作がロック機構９において実施され、ロック機構９によるトレイ２のロックは解除され、トレイ２は図中矢印Ｘ１方向に向け（排出位置に向け）移動可能な状態となる。
また、前記したコイルバネ１７のバネ力によりトレイ２はシャーシ１０から飛び出し（図１４参照）、操作者はこの飛び出した部位を把持してトレイ２を排出位置まで引き出し、これによりトレイ２は排出位置まで移動される。
【０１３７】
上記のように本実施例においても、第１及び第２実施例と同様に静電気耐性が向上し、操作時に操作者と電気部品との間で静電気の放電が発生することを防止することができ、電子部品が破壊されることを確実に防止することができる。また、記録媒体装着装置の部品点数を削減、配線部品の個別不良低減、及びＦＰＣ１５のコスト低減等を図ることもできる。
【０１３８】
また、本実施例では第２実施例と同様に、単一の（１個の）トレイ／イジェクトスイッチ４４で、トレイ２の排出検出、トレイ２の収納検出、及びイジェクト操作検出を行なうことができるため、部品点数の削減及び低コスト化を図ることができる。
更に、本実施例で用いているトレイ／イジェクトスイッチ４４は、図１６に示されるように通常のＯＮ／ＯＦＦスイッチ（２状態検出スイッチ）であり、第２実施例で用いた３状態を検出しうるトレイ／イジェクトスイッチ４３（図１０参照）に比べて構成が簡単で安価なものである。よって本実施例によれば、第２実施例に比べてもコストの低減を図ることができる。
【０１３９】
続いて、本実施例におけるエマージェンシー動作について説明する。
【０１４０】
図１５は、ディスク装置１Ｃのエマージェンシー状態を示している。このエマージェンシー状態は、例えばソレノイド２１が駆動不可能な状態（フェイル状態）、或いは電源オフ時（非通電状態）にトレイをイジェクトするといったような通常のロック解除動作ではトレイ２のロックが解除できない状態である。
【０１４１】
ディスク装置１Ｃがエマージェンシー状態となった場合において、トレイ２をシャーシ１０から排出させるためには、図１５（Ａ）に示すように、治具４５を用いて操作／発光部３０を通常のイジェクト時の操作よりも深く図中矢印Ｘ２方向に変位させる。
【０１４２】
前記したように、イジェクト棒２２Ｂにはエマージェンシー用凸部３４が形成されており、またロック機構９を構成するロックアーム２０Ｂにはロック解除アーム２６が形成されている。更に、このエマージェンシー用凸部３４とロック解除アーム２６は、イジェクト棒２２Ｂが矢印Ｘ２方向に所定位置（図１５に示す位置）まで移動した時点で係合し、支軸２７を中心としてロックアーム２０Ｂを図中時計方向に回動させる構成とされている。
【０１４３】
従って、治具４５を用いてイジェクト棒２２Ｂを深く操作することにより、ロックアーム２０Ｂはロック解除アーム２６と係合し、ロックアーム２０Ｂは図中時計方向に回動する。これによりロック爪２４はロックピン２３から離脱し、ロック機構９によるトレイ２のロックは解除される。
【０１４４】
このように、本実施例に係る記録媒体装着装置は、イジェクト棒２２Ｂをエマージェンシー用棒としても用いているため、これによっても記録媒体装着装置の部品点数の削減を図ることができる。更に、従来では必要であったエマージェンシー用ホール１２１（図１８参照）を無くすることができるため、このエマージェンシー用ホール１２１を介して静電気が装置内部に放電することを防止することができる。
【０１４５】
尚、上記実施例では、記録媒体装着装置を配設する電子機器としてディスク装置を例に挙げて説明したが、本発明の適用はこれに限定されるものではなく、これ以外の例えば磁気ディスク装置或いは光磁気ディスク装置等にも広く適用できるものである。
【０１４６】
【発明の効果】
上述の如く本発明によれば、次に述べる種々の効果を実現することができる。
【０１４７】
請求項１記載の発明によれば、可動ユニットに電気的なスイッチを配設する必要がなくなり、静電気耐性を向上させることができる。また、操作者と検出手段との間で静電気が発生するようなことはなく、記録媒体装着装置に設けられている電子部品が破壊されることを防止することができる。
【０１４８】
また、請求項２記載の発明によれば、単一の（１個の）検出スイッチで、操作部材の手動操作されていない状態とイジェクト操作状態との二つの状態を少なくとも検出することができるため、各状態をそれぞれ別個の検出スイッチで検出する構成に比べ、部品点数の削減及び低コスト化を図ることができる。
【０１４９】
また、請求項３記載の発明によれば、操作部材に形成された被検出部を単一の検出スイッチにより検出するため、複数の検出スイッチで検出する構成に比べて部品点数の削減及び低コスト化を図ることができる。また、位置検出装置は、検出スイッチとして簡単な構成のスイッチを用いることができ、これによっても低コスト化を図ることができる。
【０１５０】
また、請求項４記載の発明によれば、イジェクト用の操作部材と、エマージェンシー時用の操作部材を別個に設ける必要がなくなり、記録媒体装着装置の部品点数の削減を図ることができる。
【図面の簡単な説明】
【図１】本発明の第１実施例である記録媒体装着装置を搭載したディスク装置を示す図であり、トレイが排出位置にある状態を示す図である。
【図２】本発明の第１実施例である記録媒体装着装置を搭載したディスク装置を示す図であり、トレイが収納位置にある状態を示す図である。
【図３】本発明の第１実施例である記録媒体装着装置を搭載したディスク装置を示す図であり、イジェクト棒が操作された状態を示す図である。
【図４】本発明の第１実施例である記録媒体装着装置を搭載したディスク装置を示す図であり、イジェクト中の状態を示す図である。
【図５】本発明の第１実施例である記録媒体装着装置を搭載したディスク装置の回路構成を示すブロック図である。
【図６】本発明の第２実施例である記録媒体装着装置を搭載したディスク装置を示す図であり、トレイが排出位置にある状態を示す図である。
【図７】本発明の第２実施例である記録媒体装着装置を搭載したディスク装置を示す図であり、トレイが収納位置にある状態を示す図である。
【図８】本発明の第２実施例である記録媒体装着装置を搭載したディスク装置を示す図であり、イジェクト棒が操作された状態を示す図である。
【図９】本発明の第２実施例である記録媒体装着装置を搭載したディスク装置を示す図であり、イジェクト中の状態を示す図である。
【図１０】本発明の第２実施例である記録媒体装着装置を搭載したディスク装置の回路構成を示すブロック図である。
【図１１】本発明の第３実施例である記録媒体装着装置を搭載したディスク装置を示す図であり、トレイが排出位置にある状態を示す図である。
【図１２】本発明の第３実施例である記録媒体装着装置を搭載したディスク装置を示す図であり、トレイが収納位置にある状態を示す図である。
【図１３】本発明の第３実施例である記録媒体装着装置を搭載したディスク装置を示す図であり、イジェクト棒が操作された状態を示す図である。
【図１４】本発明の第３実施例である記録媒体装着装置を搭載したディスク装置を示す図であり、イジェクト中の状態を示す図である。
【図１５】本発明の第３実施例である記録媒体装着装置を搭載したディスク装置を示す図であり、エマージェンシー時の動作を説明するための図である。
【図１６】本発明の第３実施例である記録媒体装着装置を搭載したディスク装置の回路構成を示すブロック図である。
【図１７】本発明の第３実施例である記録媒体装着装置のイジェクト処理を示すフローチャートである。
【図１８】従来の一例である記録媒体装着装置を搭載したディスク装置を示す図である。
【符号の説明】
１Ａ〜１Ｃ  ディスク装置
２  トレイ
３  ディスク
５  光学式ピックアップ
６  ターンテーブル
７  ピックアップ組立体
９  ロック機構
１０  シャーシ
１１  前面ベゼル
１３  プリント基板
１５  ＦＰＣ
１６  イジェクトスライダ
２０Ａ，２０Ｂ  ロックアーム
２１  ソレノイド
２２Ａ，２２Ｂ  イジェクト棒
２３  ロックピン
２４  ロック爪
２５  接続部
２６  ロック解除アーム
３０  操作／発光部
３１  受光部
３２  バネ掛け部
３３  係止用凸部
３４  エマージェンシー用凸部
３６  コイルバネ
３９  スイッチ駆動凹部
４０  ＬＥＤ
４１  トレイスイッチ
４２  イジェクトスイッチ
４３  トレイ／イジェクトスイッチ
４４  トレイ／イジェクトスイッチ
４５  治具
【図１】
0003804468.tif 000002
【図２】
0003804468.tif 000003
【図３】
0003804468.tif 000004
【図４】
0003804468.tif 000005
【図５】
0003804468.tif 000006
【図６】
0003804468.tif 000007
【図７】
0003804468.tif 000008
【図８】
0003804468.tif 000009
【図９】
0003804468.tif 000010
【図１０】
0003804468.tif 000011
【図１１】
0003804468.tif 000012
【図１２】
0003804468.tif 000013
【図１３】
0003804468.tif 000014
【図１４】
0003804468.tif 000015
【図１５】
0003804468.tif 000016
【図１６】
0003804468.tif 000017
【図１７】
0003804468.tif 000018
【図１８】
0003804468.tif 000019